(57)【要約】      （修正有）【課題】安全かつ容易に吊り足場用パネルを連結・撤去することが可能な吊り足場用パネルを提供する。【解決手段】縦横に連結させ水平方向に構築していく吊り足場用パネルであって、パネル長辺部の両側面内に連結受け部１２を有しており、一方の連結受け部１２内にはパネル長辺部から直角に突出して預け金具２５を設け、他方の連結受け部１２内にはパネル長辺部から直角に突出して受け金具２６を設ける。【選択図】図１０
2015028284.tif 000002
【特許請求の範囲】
【請求項１】
縦横に連結させ水平方向に構築していく吊り足場用パネルであって、パネル長辺部の両側面内に連結受け部を有しており、一方の連結受け部内にはパネル長辺部から直角に突出して預け金具を設け、そして、他方の連結受け部内にはパネル長辺部から直角に突出して受け金具を設けていることを特徴とする吊り足場用パネル。
【請求項２】
受け金具は底面ウェブとその両側面のフランジから形成される断面形状を有し、そして、預け金具は上面ウェブとその両側面のフランジから形成される断面形状を有することを特徴とする、請求項１に記載の吊り足場用パネル。
【請求項３】
受け金具および預け金具は、いずれも、同じ側のフランジの一部に切り欠き部を有しており、対峙するパネルの預け金具を当該パネルの受け金具の上に載置したときに受け金具のウェブ上で水平方向に移動させることによって、預け金具の載置位置の微調整が可能であることを特徴とする、請求項２に記載の吊り足場用パネル。
【請求項４】
受け金具は底面ウェブとその両側面のフランジから形成される断面形状を有し、かつ、預け金具を当該受け金具の両フランジの内側に載置することができることを特徴とする、請求項１に記載の吊り足場用パネル。
【請求項５】
受け金具は底面または上面ウェブとその両側面のフランジから形成される断面形状を有し、かつ、上面ウェブとその両側面のフランジから形成される断面形状を有する預け金具の両フランジを当該受け金具の両フランジの外側に載置することができることを特徴とする、請求項１に記載の吊り足場用パネル。
【請求項６】
受け金具は閉塞断面形状を有し、かつ、上面ウェブとその両側面のフランジから形成される断面形状を有する預け金具の両フランジの内側に載置することができることを特徴とする、請求項１に記載の吊り足場用パネル。
【請求項７】
預け金具は上面ウェブとその両側面のフランジから形成される断面形状を有し、かつ、当該預け金具の両フランジを受け金具の外側に載置することができることを特徴とする、請求項１に記載の吊り足場用パネル。
【請求項８】
預け金具は上面または底面ウェブとその両側面のフランジから形成される断面形状を有し、かつ、当該預け金具を底面または上面ウェブとその両側面のフランジから形成される断面形状を有する受け金具の両フランジの内側に載置することができることを特徴とする、請求項１に記載の吊り足場用パネル。
【請求項９】
預け金具は閉塞断面形状を有し、かつ、底面ウェブとその両側面のフランジから形成される断面形状を有する受け金具の両フランジの内側に載置することができることを特徴とする、請求項１に記載の吊り足場用パネル。
【請求項１０】
預け金具の下面および受け金具の上面は、いずれも上向きに開放された断面Ｖ形状、断面Ｕ形状または断面円弧形状を有することを特徴とする、請求項１に記載の吊り足場用パネル。
【請求項１１】
預け金具は閉塞断面形状を有することを特徴とする、請求項１０に記載の吊り足場用パネル。
【請求項１２】
受け金具は閉塞断面形状を有することを特徴とする、請求項１０または１１に記載の吊り足場用パネル。
【請求項１３】
受け金具の突出位置のパネル長辺部の上面に、パネル長辺部に対して直角に預け金具用ガイド材が設けられていることを特徴とする、請求項１から１２までのいずれかに記載の吊り足場用パネル。
【請求項１４】
パネル長辺部から直角に突出してなる預け金具を対峙するパネル長辺部の側面の連結受け部内に連結するための連結用ボルトを通すための連結用孔が連結受け部の上面に穿たれていることを特徴とする、請求項１から１３までのいずれかに記載の吊り足場用パネル。
【請求項１５】
受け金具が固定用ボルトで連結受け部内の下面に固定されていることを特徴とする、請求項１から１４までのいずれかに記載の吊り足場用パネル。
【請求項１６】
預け金具が固定用ボルトで連結受け部内の上面に固定されていることを特徴とする、請求項１から１５までのいずれかに記載の吊り足場用パネル。
【請求項１７】
固定用孔の形状が長円形であることを特徴とする、請求項１６に記載の吊り足場用パネル。
【請求項１８】
受け金具の突出位置のパネル長辺部の上面に、パネル長辺部に対して直角に預け金具用ガイド材が設けられていることを特徴とする、請求項１から１７までのいずれかに記載の吊り足場用パネル。
【請求項１９】
パネル長辺部から直角に突出してなる預け金具を対峙するパネル長辺部の側面の連結受け部内に連結するための連結用ボルトを通すための連結用孔が連結受け部の上面に穿たれていることを特徴とする、請求項１から１７までのいずれかに記載の吊り足場用パネル。
【発明の詳細な説明】
【技術分野】
【０００１】
本発明は、道路などの橋桁の補修や点検作業などで仮設される吊り足場用パネルに関する。
【背景技術】
【０００２】
一般に、橋や高速道路などの橋桁の補修や点検作業では、その下が川や車道であることが多いことから、地上から仮設足場を組み上げることができない。このため、橋桁に吊って設置する吊り足場を仮設することが多い。
【０００３】
従来、この種の吊り足場としては、「単管足場方式」が知られている。これは、橋桁に吊りチェーンを橋桁の軸方向（車の進行方向）に所定間隔に垂設し、この吊りチェーンの間に親パイプを橋桁の軸方向に架け渡し、平行する親パイプの間に橋桁の軸直角方向に転がしパイプを所定間隔に複数本架け渡し、その後、これらの転がしパイプの上に足場板の複数本を橋桁の軸方向に平行に設置し、さらに足場板の下側と両側面に安全ネットを張ることによって、構成される。
【０００４】
しかしながら、単管足場方式による吊り足場は、単管、足場板、チェーンなどの部品を一つ一つ、クランプ等の連結金具で連結しながら設置していく必要があるため、仮設および撤去作業がきわめて煩わしく、面倒なだけでなく危険であった。
【０００５】
このため、概略長方形に形成された骨組の上方に床材を固定し一体化してなるパネル材を、橋桁の橋梁部から吊り下げたチェーンで吊りながら、縦横に連結して水平方向に足場面積を広げていく「パネル方式」が提案され実用化されてきている。
【０００６】
図１は、パネル方式による吊り足場の模式図である。(a)が橋桁の軸直角方向の断面図であり、(b)がそのＡ−Ａ矢視の平面図である。
【０００７】
この吊り足場１は、橋桁の床版部２の下方に適宜間隔に設けられた、Ｉ形鋼からなる橋梁部３のフランジ３ａからチェーンクランプ４によってチェーン５を吊り下げる。この吊りチェーン５を橋桁の軸方向に、あるいは橋桁の軸方向および橋桁の軸直角方向の両方向に複数本設置し、併せて、長方形のパネル６をチェーン位置７でチェーン５で吊りながらパネル６の長辺６ａ同士および短辺６ｂ同士をそれぞれ連結具によって連結していくのである。
【０００８】
特許文献１には、パネルの長辺同士を連結するために、パネル長辺部の一方の側面にパネル長辺部から突出する連結具を設け、そして、パネル長辺部の他方の側面にはその突出した連結具の先端を差し込むことのできる孔を有する連結受け部を設けてなるパネルが提案されている。
【０００９】
図２は、特許文献１に基づいて実用化されているパネルの一例（従来例）である。(a)が平面図、そして、(b)がＣ−Ｃ矢視図である。
【００１０】
図３は、図２に示すパネル２枚をその長辺部同士で連結する作業を示す図である。
【００１１】
ここでは、作業員は１枚目のパネルの上に膝をついて、そのパネルの長辺部６ａの側面から突出した連結具１１の先端に、２枚目の連結すべきパネルの長辺部６ａの側面に設けられた連結受け部１２の孔を外挿した後、連結受け部１２に穿たれた貫通孔１３と連結具１１に穿たれた係止孔１４を位置合わせしてから、両方の孔に貫通ピン１５を差し込んだ後、調整ボルト１６を締めることによって、パネルの長辺方向同士の連結が完了する。ここで、パネルの上面には床材８が張られていて、作業員がその上で作業をすることができる。
【００１２】
なお、このパネルの両短辺は丸パイプで形成されており、パネルの短辺同士の連結は通常の固定クランプで２つの丸パイプを係り止めすることでなされている。
【先行技術文献】
【特許文献】
【００１３】
【特許文献１】特公平７−１０３６７９号公報
【発明の概要】
【発明が解決しようとする課題】
【００１４】
しかしながら、パネルの長辺同士を連結・撤去する作業をする際には、このパネルには次の(i)〜（iii）に示す問題点があることが分かった。
【００１５】
(i) パネル連結作業の際、次に連結する（対峙する）パネル材を持つ作業員のひざ位置は、設置済みのパネル材を吊っているチェーンの内側でなければならない。その理由は、もしチェーンの外側に作業員のひざ位置がきた場合、チェーン位置を回転軸としてパネル材全体が天秤効果で傾いて、作業員の重心が設置済みのパネル材を吊っているチェーンの外側に来てしまうから、バランスを崩す危険性があるためである。パネル撤去作業の際にも同様の問題がある。
【００１６】
図４は、このときの連結作業時の作業員の重心の変化を示す一例である。作業員のひざ位置２１ａが設置済みのパネル６を吊っているチェーン５の外側（左側）に来ると、作業員がバランスを崩すことが分かる。
【００１７】
(ii) パネル材連結作業の際に、作業員のひざ位置をチェーンの内側にもってきたとしても、次に連結する（対峙する）パネル材を掴む際には、「パネル短辺の半分の長さ（約３３ｃｍ）＋連結具の長さ（約１０ｃｍ）＋ある程度の隙間および持ち手等の余裕代（約７ｃｍ）を足した長さ（約５０ｃｍ）」の分だけパネルをせり出す必要があるので、その分、作業員の重心位置がチェーンの外側に移動するため、やはり作業員がバランスを崩す危険性がある。パネル撤去作業の際にも同様の問題がある。
【００１８】
図５は、このときの連結作業時の作業員の重心の変化を示す他の例である。作業員のひざ２１ａの位置が設置済みのパネル６を吊っているチェーン５の内側（右側）であっても、作業員の重心位置が設置済みのパネル６を吊っているチェーン５の外側(左側)に来ると、作業員がバランスを崩すことが分かる。
【００１９】
(iii)作業員は設置済みのパネルの長辺部側面から突出した連結具の先端に、次に連結する（対峙する）パネルの長辺部側面に設けられた連結受け部の孔を外挿する必要があるが、孔の位置合わせが難しく、連結具の先端と連結受部の孔が少しでもずれると連結できない。また、連結受部の孔の位置が作業員から遠いので、狙いを定めにくいという問題がある。
【００２０】
本発明は、以上の課題を一挙に解決するためになされたもので、安全かつ容易に吊り足場用パネルを連結・撤去することができる吊り足場用パネルを提供することを目的とする。
【課題を解決するための手段】
【００２１】
本発明者らは、吊り足場用パネルの連結作業を安全かつ容易にするべく、検討を重ねた。その結果、次に示す(a)〜(j)の知見を得た。
【００２２】
(a) パネル連結作業の際、次に連結する（対峙する）パネル材を持つ作業員の重心（ひざ）位置は、設置済みのパネル材を吊っているチェーンの内側でなければならないことは致し方ないが、次に連結する（対峙する）パネルを掴む際に、「パネル短辺の半分の長さ＋連結具の長さ＋ある程度の隙間および持ち手等の余裕代を足した長さ」の分、パネルをせり出すことに起因する危険性はそのせり出し長さを短くすることで減少させることは可能である。
【００２３】
(b) そのせり出し長さを短くする方策として、パネル短辺の長さをより短くすることが考えられる。しかしながら、せり出し長さを減らすことはできるものの、パネルの設置枚数が多くなるため、工数（手間）が増えることになるため、採用しがたい。
【００２４】
(c) しかし、次に連結する（対峙する）パネルの短辺の長さをより短くしなくても、作業員が次に連結する（対峙する）パネルの掴み位置をパネル短辺からパネル長辺に変更し、かつ、その掴み位置を手前に突出させれば、そのせり出し長さを短くすることができることに思い至った。
【００２５】
たとえば、特許文献１に記載のパネルでは、設置済みのパネルの長辺部側面から突出した連結具の先端に、次に連結するパネルの長辺部側面に設けられた連結受け部の孔を外挿することによって連結しているが、この連結具と連結受け部の位置を逆にすれば、作業員が次に連結する（対峙する）パネルの長辺部側面から突出した連結具の先端を掴むことができることになる。しかしながら、この場合、作業員は設置済みのパネルの長辺部側面に設けられた連結受け部の孔の位置を視界に入れるために、さらに身を乗り出すことになるため、作業員のせり出し長さは短くならない。
【００２６】
図６は、図２に示すパネル６の連結具と連結受け部１２の位置を逆にしたときの連結作業を示す図である。この場合、作業員は設置済みのパネル６の長辺部側面に設けられた連結受け部１２の孔の位置を視界に入れるために、さらに身を乗り出すことになることが分かる。
【００２７】
(d) このため、さらに検討を重ねたところ、パネル長辺部の両側面内に連結受け部を有するパネルとし、一方の連結受け部内にはパネル長辺部から直角に突出してなる預け金具を、そして、他方の連結受け部内にはパネル長辺部から直角に突出してなる受け金具を、それぞれ、設ければよいことを着想した。
【００２８】
ここで、パネル長辺部の両側面内に設ける連結受け部は、たとえば管形状とし、パネル長辺部の側面のそれぞれに設けて、それぞれの連結受け部内に預け金具と受け金具を設けてもよいが、両側面のパネル長辺部の間をつなぐ角管または円管形状とし、その連結受け部の両端内にそれぞれ預け金具と受け金具を設けてもよい。なお、各々のパネル長辺部辺りの連結受け部の個数は、特に限定するものではないが、安全面と作業効率からみて２個とするのが好ましい。
【００２９】
図７は、一方の連結受け部内にパネル長辺部から直角に突出してなる預け金具と、他方の連結受け部内にパネル長辺部から直角に突出してなる受け金具とを、それぞれ設けたパネルを用いて連結作業を示す図である。
【００３０】
図８は、このような預け金具２５と受け金具２６を備えるパネル６の具体的な構造の一例である。(a)は正面図、(b)はそれぞれのＦ−Ｆ矢視図とＧ−Ｇ矢視図、(c)は受け金具の上に預け金具を載置した状態、そして、(d)は預け金具をスライドさせて連結受け部内に収容した状態を示す。
【００３１】
そして、受け金具２６は底面ウェブとその両側面のフランジから形成される断面形状を有し、そして、預け金具２５は上面ウェブとその両側面のフランジから形成される断面形状を有している。ここでは、預け金具２５の両フランジは受け金具２６の両フランジの内側に載置できる形状としているが、受け金具２６の両フランジの外側に載置することができる形状としてもよい。なお、この組合せの場合には、預け金具２５の一方のフランジが受け金具２６の両フランジの間に載置される状態になっても、預け金具２５を受け金具２６に組み合わせることが可能であるから、預け金具２５の両フランジは必ずしも受け金具の両フランジの内側または外側に載置される必要はない。
【００３２】
要するに、受け金具と預け金具の形状は、預け金具を受け金具の上面に受けることができて、預け金具が受け金具の側面方向に少々移動しても預け金具が受け金具の上面から外れない形状の組み合わせであればよい。
【００３３】
したがって、預け金具を受け金具の上面に受けることができて、預け金具が受け金具の側面方向に少々移動しても預け金具が受け金具の上面から外れない形状の組み合わせである限り、(A)受け金具として、底面もしくは上面ウェブとその両側面のフランジから形成される断面形状（断面コの字形状、断面Ｕ形状、断面半円形状等の上向きもしくは下向きに開放された形状であってもよいが、開放部に蓋をすることで閉塞断面形状としてもよい。なお、ウェブ、フランジとも平面であってもよいし、曲面であってもよい。）、または、管もしくは棒材から形成される断面円形状もしくは断面角形状の閉塞断面形状（形鋼の開放部に蓋をすることで閉塞断面形状としてもよい。）を採用するか、または、(B)預け金具として、上面もしくは底面ウェブとその両側面のフランジから形成される断面形状（断面コの字形状、断面Ｕ形状、断面半円形状等の下向きもしくは上向きに開放された形状であってもよいが、開放部に蓋をすることで閉塞断面形状としてもよい。なお、ウェブ、フランジとも平面であってもよいし、曲面であってもよい。）、または、管もしくは棒材から形成される断面円形状もしくは断面角形状の閉塞断面形状（形鋼の開放部に蓋をすることで閉塞断面形状としてもよい。）を採用すればよい。なお、預け金具または受け金具を閉塞断面形状とすると、剛性が高くなり、吊り足場用パネルの運搬時に預け金具または受け金具を地面等にぶつけても曲がりにくくなるという利点を有する。
【００３４】
たとえば、受け金具として、底面ウェブとその両側面のフランジから形成される上向き開放断面形状を採用するときには、預け金具として下向きまたは上向き開放断面形状を採用するか、または、閉塞断面形状を採用することができる。また、受け金具として上面ウェブとその両側面のフランジから形成される下向き開放断面形状または閉塞断面形状を採用するときには、預け金具として下向き開放断面形状を採用することができる。
【００３５】
ただし、図８にみるような、受け金具が底面ウェブとその両側面のフランジから形成される断面形状を有し、そして、預け金具が上面ウェブとその両側面のフランジから形成される断面形状を有するという組み合わせを除けば、預け金具を受け金具の上面に受けることができて、預け金具が受け金具の側面方向に少々移動しても預け金具が受け金具の上面から外れないようにするためには、預け金具全体が受け金具の中に組み込まれる断面形状を有するか、または、受け金具全体が預け金具の中に組み込まれる断面形状を有する必要がある。
【００３６】
以上をまとめると、預け金具と受け金具の組合せは、次の(i)〜(vii)のとおりとなる。
(i)受け金具は底面ウェブとその両側面のフランジから形成される断面形状を有し、そして、預け金具は上面ウェブとその両側面のフランジから形成される断面形状を有するもの。
(ii)受け金具は底面ウェブとその両側面のフランジから形成される断面形状を有し、かつ、預け金具を当該受け金具の両フランジの内側に載置することができるもの。
(iii)受け金具は底面または上面ウェブとその両側面のフランジから形成される断面形状を有し、かつ、上面ウェブとその両側面のフランジから形成される断面形状を有する預け金具の両フランジを当該受け金具の両フランジの外側に載置することができるもの。
(iv)受け金具は閉塞断面形状を有し、かつ、上面ウェブとその両側面のフランジから形成される断面形状を有する預け金具の両フランジの内側に載置することができるもの。
(v)預け金具は上面ウェブとその両側面のフランジから形成される断面形状を有し、かつ、当該預け金具の両フランジを受け金具の外側に載置することができるもの。
(vi)預け金具は上面または底面ウェブとその両側面のフランジから形成される断面形状を有し、かつ、当該預け金具を底面または上面ウェブとその両側面のフランジから形成される断面形状を有する受け金具の両フランジの内側に載置することができるもの。
(vii)預け金具は閉塞断面形状を有し、かつ、底面ウェブとその両側面のフランジから形成される断面形状を有する受け金具の両フランジの内側に載置することができるもの。
【００３７】
なお、上記(i)の預け金具と受け金具の組合せの場合には、パネルの預け金具を対峙するパネルの受け金具の上に載置したときに受け金具のウェブ上で水平方向に移動させることができるように、受け金具および預け金具の同じ側のフランジの一部に切り欠き部を設けると、預け金具の断面方向の載置位置の微調整が容易になる場合がある。
【００３８】
(e) そして、預け金具を受け金具の上に載置後、預け金具をパネル長辺部の側面内に設けられた連結受け部内に受け金具上でスライドさせることができる構造とすればよい。
【００３９】
こうすれば、作業員は次に連結する（対峙する）パネル材自体を掴む代わりに、次に連結する（対峙する）パネルの長辺部から直角に突出している受け金具または預け金具を掴むことができるから、パネルからのせり出し長さは大幅に短くなる。したがって、作業員がバランスを崩す危険性は大幅に減少する。なお、受け金具と預け金具はともにパネル長辺部から突出してものであるため、作業員は、次に連結する（対峙する）パネルの長辺部から突出しているのが、受け金具と預け金具のどちらであっても、受け金具と預け金具の組合せである限り、容易に掴むことができる。
【００４０】
そして、パネルの連結作業の際には一方の受け金具の先端と他方の預け金具の先端が近接しているので、位置合わせがし易い。また、一方の受け金具の上に他方の預け金具を載置できるため、載置した後に預け金具を受け金具上で水平方向に移動させて預け金具位置の微調整をすることができる。すなわち、預け金具を受け金具上に仮置き後にスライドさせるという２段階の位置合わせ作業も可能となるため、容易かつ安全に連結作業をすることができる。
【００４１】
(f) 前述したように、受け金具と預け金具の形状は、預け金具を受け金具の上面に受けることができて、預け金具が受け金具の側面方向に少々移動しても預け金具が受け金具の上面から外れない形状の組み合わせであればよい。この点に関して、さらに検討を進めたところ、殊更に、預け金具または受け金具の断面形状として、上面または底面ウェブとその両側面のフランジから形成される断面形状としなくても、受け金具の上面と預け金具の下面の断面形状が合致するような同一形状とすればよいことを着想した。たとえば、両者とも上向きに開放された断面Ｖ形状とすれば、預け金具を受け金具の上面に容易に受けることができて、預け金具が受け金具の側面方向に少々移動しても預け金具が受け金具の上面から外れにくいことに思い至った。ここで、断面Ｖ形状は山形鋼を用いることで容易に形成することができる。断面Ｖ形状に代えて、断面Ｕ形状または断面円弧形状であってもよい。
【００４２】
預け金具は、上向きに開放された断面Ｖ形状をそのまま用いてもよい。ただし、預け金具の上向きに開放された断面Ｖ形状の開放部に蓋をして三角形の閉塞断面形状とすると、剛性が高くなり、吊り足場用パネルの運搬時に預け金具を地面等にぶつけても曲がりにくくなるから、閉塞断面形状とするのが好ましい。なお、三角形の閉塞断面形状は、山形鋼の開放部に平板を溶接することによって蓋をして三角形の閉塞断面形状をしてもよいし、断面が三角形状の三角管を用いてもよい。もちろん、断面Ｕ形状または断面円弧形状を用いるときも閉塞断面形状とするのが好ましい。
【００４３】
そして、断面Ｖ形状の預け金具と組み合わせる受け金具としては、山形鋼を用いてなる上向きに開放された断面Ｖ形状をそのまま用いてもよい。ただし、預け金具と同様に閉塞断面形状とすることで、剛性を高め、もって吊り足場用パネルの運搬時に受け金具を地面等にぶつけても曲がりにくくすることができる。断面Ｖ形状の受け金具を閉塞断面形状とするためには、たとえば、断面Ｖ形状の山形鋼を、上向きに開放された断面コの字形状の鋼材２７で下から支えることによって、閉塞断面形状を形成することができる。なお、断面Ｖ形状の山形鋼と断面コの字形状の鋼材とは隅肉溶接によって接合することができる。預け金具として断面Ｕ形状または断面円弧形状を用いるときも閉塞断面形状とするのが好ましい。
【００４４】
(g) 受け金具の突出位置のパネル長辺部の上面に、預け金具用ガイド材をパネル長辺に対して直角に設けておくと、預け金具の端部を手足または工具等で押すだけで、その預け金具が対峙するパネル長辺部の上面に設けられたガイド材に沿って受け金具上に誘導されるので、受け金具上に預け金具を予め位置決めしておいた場所に容易に載置することができる。このとき、作業員のせり出し長さは約１５ｃｍへと極端に減るため、作業員がバランスを崩す危険性は大幅に減少する。なお、ガイド材はパネルとは別の部材を固定する方法、もしくは、パネルの床面として使用するチェッカープレートの端面を利用する方法等が考えられる。また、ガイド材の設置位置としては、預け金具のフランジの内側もしくは外側のいずれに設けてもよい。
【００４５】
図９は、受け金具の突出位置のパネル長辺部の上面に、預け金具用のガイド材をパネル長辺に対して直角に設けた構造の一例である。(a)は預け金具を受け金具に載置する前後を示す。(b)は(a)のＨ−Ｈ矢視図であり、３種類のガイド材を例示する。
【００４６】
預け金具２５が左方に押されると、対峙するパネル長辺部の長辺用部材３５の上面に設けられたガイド材３０に沿って受け金具２６の上に誘導され、載置されることが分かる。
【００４７】
(h) 受け金具に預け金具を載置した後、預け金具を対峙する連結受け部内に連結する手段としては、連結受け部材の上面に穿たれた連結用孔に連結用ボルトを締め付ければよい。このとき、預け金具の上面には連結用ボルトを連結するためのネジ部が必要となるが、固定用ボルトを連結受け部材の上面に穿たれた連結用孔に差し込んで締め付けることができればよく、そのためにはネジを切ったナットを用いるか、または、預け金具の板厚を利用して預け金具に直接ネジを切ってもよい。
【００４８】
(i) 預け金具は、前述したとおり、連結受け部内の上面に固定される。このとき、固定用ボルトで固定し、かつ、連結受け部材の上面に穿たれた固定用孔の形状を長円形とすれば、吊り足場用パネルの設置を平面上でカーブさせることができるので、橋桁の軸が左右にカーブしていても対応することができる。
【００４９】
(j) 次に、パネルの短辺同士を連結・撤去する際の作業についても、考察してみる。パネルの短辺同士の連結は、設置済みのパネルのパネル短辺部材と、連結すべきパネルのパネル短辺部材の間を、２本のパイプを緊結することのできるクランプで緊結することによってなされる。
【００５０】
このとき、作業員は設置済みのパネルの床材の端部上にひざをついて、連結すべきパネルの床材のパネル短辺部材を引き寄せ、両方のパネル短辺部材同士をクランプで緊結することで、パネルの短辺同士を連結することになる。しかし、パネルの短辺部にはパネルの端部の短辺部材間をクランプで緊結する作業をするために隙間が形成されている。この隙間は、橋梁部から吊り下げられたチェーンを通しておく場合にも必要となる。
【００５１】
このような隙間があるために、作業員は手前のパネルの短辺部に近い床面上にひざをついて、手を伸ばした不安定な体勢で連結すべきパネルを引き寄せる作業をすることになる。これを避けるためには、その隙間を塞ぐことのできる端部隙間塞ぎ材を隙間の上に設置すれば、作業員は端部隙間塞ぎ材の上にひざをついて連結作業をすることができるから、端部隙間塞ぎ材の分だけ、作業員は前屈みの無理な体勢を取らずに済むから、作業員はその分安全に作業をすることができる。端部隙間塞ぎ材が隙間から落下しないように、パネルの短辺部の端部に蝶番を介して端部隙間塞ぎ材を設置し、端部隙間塞ぎ材を上方向または下方向に回動自在に折りたためるようにすればよい。あるいは、パネルの短辺部の端部に端部隙間塞ぎ材を水平方向に引き出し可能に設置して、端部隙間塞ぎ材を水平方向に移動できるようにすればよい。このとき、端部隙間塞ぎ材をパネルの床面と面一に設けると、作業員が吊り足場上を移動中につまづくことがなくなるから好ましい。
【００５２】
本発明は、上記の知見に基づきなされたもので、その要旨は下記の(1)〜(19)の吊り足場用パネルにある。以下、総称して、本発明という。
【００５３】
(1) 縦横に連結させ水平方向に構築していく吊り足場用パネルであって、パネル長辺部の両側面内に連結受け部を有しており、一方の連結受け部内にはパネル長辺部から直角に突出して預け金具を設け、そして、他方の連結受け部内にはパネル長辺部から直角に突出して受け金具を設けていることを特徴とする吊り足場用パネル。
【００５４】
(2) 受け金具は底面ウェブとその両側面のフランジから形成される断面形状を有し、そして、預け金具は上面ウェブとその両側面のフランジから形成される断面形状を有することを特徴とする上記(1)の吊り足場用パネル。
【００５５】
(3) 受け金具および預け金具は、いずれも、同じ側のフランジの一部に切り欠き部を有しており、対峙するパネルの預け金具を当該パネルの受け金具の上に載置したときに受け金具のウェブ上で水平方向に移動させることによって、預け金具の載置位置の微調整が可能であることを特徴とする、上記(2)の吊り足場用パネル。
【００５６】
(4) 受け金具は底面ウェブとその両側面のフランジから形成される断面形状を有し、かつ、預け金具を当該受け金具の両フランジの外側に載置することができることを特徴とする、上記(1)の吊り足場用パネル。
【００５７】
(5) 預け金具は底面または上面ウェブとその両側面のフランジから形成される断面形状を有し、かつ、上面ウェブとその両側面のフランジから形成される断面形状を有する預け金具の両フランジを当該受け金具の両フランジの外側に載置することができることを特徴とする、上記(1)の吊り足場用パネル。
【００５８】
(6) 受け金具は閉塞断面形状を有し、かつ、上面ウェブとその両側面のフランジから形成される断面形状を有する預け金具の両フランジの内側に載置することができることを特徴とする、上記(1)の吊り足場用パネル。
【００５９】
(7) 預け金具は上面ウェブとその両側面のフランジから形成される断面形状を有し、かつ、当該預け金具の両フランジを受け金具の外側に載置することができることを特徴とする、上記(1)の吊り足場用パネル。
【００６０】
(8) 預け金具は上面または底面ウェブとその両側面のフランジから形成される断面形状を有し、かつ、当該受け金具を底面または上面ウェブとその両側面のフランジから形成される断面形状を有する受け金具の両フランジの内側に載置することができることを特徴とする、上記(1)の吊り足場用パネル。
【００６１】
(9) 預け金具は閉塞断面形状を有し、かつ、底面ウェブとその両側面のフランジから形成される断面形状を有する受け金具の両フランジの内側に載置することができることを特徴とする、上記(1)の吊り足場用パネル。
【００６２】
(10) 預け金具の下面および受け金具の上面は、いずれも上向きに開放された断面Ｖ形状、断面Ｕ形状または断面円弧形状を有することを特徴とする、上記(1)の吊り足場用パネル。
【００６３】
(11) 預け金具は閉塞断面形状を有することを特徴とする、上記(10)の吊り足場用パネル。
【００６４】
(12) 受け金具は閉塞断面形状を有することを特徴とする、上記(10)または(11)の吊り足場用パネル。
【００６５】
(13) 受け金具の突出位置のパネル長辺部の上面に、パネル長辺部に対して直角に預け金具用ガイド材が設けられていることを特徴とする、上記(1)〜(12)のいずれかの吊り足場用パネル。
【００６６】
(14) パネル長辺部から直角に突出してなる預け金具を対峙するパネル長辺部の側面の連結受け部内に連結するための連結用ボルトを通すための連結用孔が連結受け部の上面に穿たれていることを特徴とする、上記(1)〜(13)のいずれかの吊り足場用パネル。
【００６７】
(15) 受け金具が固定用ボルトで連結受け部内の下面に固定されていることを特徴とする、上記(1)〜(14)のいずれかの吊り足場用パネル。
【００６８】
(16) 預け金具が固定用ボルトで連結受け部内の上面に固定されていることを特徴とする、上記(1)〜(15)のいずれかの吊り足場用パネル。
【００６９】
(17) 固定用孔の形状が長円形であることを特徴とする、上記(16)の吊り足場用パネル。
【００７０】
(18) パネルの少なくとも一方の短辺部の端部に、蝶番を介して回動可能な端部隙間塞ぎ材をパネル床面と面一に設けたことを特徴とする、上記(1)〜(17)のいずれかの吊り足場用パネル。
【００７１】
(19) パネルの少なくとも一方の短辺部の端部に、水平方向に引き出し可能な端部隙間塞ぎ材をパネル床面と面一に設けたことを特徴とする、上記(1)〜(17)のいずれかの吊り足場用パネル。
【発明の効果】
【００７２】
本発明に係る吊り足場用パネルは、作業員のせり出し長さも短くでき、かつ、容易に対峙するパネルとの位置合わせができる。したがって、安全かつ容易に吊り足場用パネルを連結・撤去することが可能となる。
【図面の簡単な説明】
【００７３】
【図１】パネル方式による吊り足場の模式図である。(a)が橋桁の軸直角方向の断面図であり、(b)がその平面図である。
【図２】特許文献１に基づいて実用化されているパネルの一例（従来例）である。(a)が平面図、そして、(b)がＣ−Ｃ矢視図である。
【図３】図２に示すパネル２枚をその長辺部同士で連結する作業を示す図である。
【図４】図２に示すパネル２枚の連結作業時の作業員の重心の変化を示す一例である。
【図５】図２に示すパネル２枚の連結作業時の作業員の重心の変化を示す他の例である。
【図６】図２に示すパネルの連結具と連結受け部の位置を逆にしたときの連結作業を示す図である。
【図７】一方の連結受け部内にパネル長辺部から直角に突出してなる預け金具と、他方の連結受け部内にパネル長辺部から直角に突出してなる受け金具とを、それぞれ設けたパネルを用いて連結作業を示す図である。
【図８】預け金具と受け金具を備えるパネルの具体的な構造の一例である。
【図９】受け金具の突出位置のパネル長辺部の上面に、預け金具用ガイド材をパネル長辺に対して直角に設けた構造の一例である。
【図１０】本発明に係る吊り足場用パネルの一例である。
【図１１】本発明に係る吊り足場用パネルの受け金具の一例である。
【図１２】図１１に示す受け金具を図１０に示す吊り足場用パネルの連結受け部に固定したときの図を示す。
【図１３】本発明に係る吊り足場用パネルの受け金具の他の例である。
【図１４】図１３に示す受け金具を図１０に示す吊り足場用パネルの連結受け部に固定したときの図を示す。
【図１５】本発明に係る吊り足場用パネルの受け金具の他の例である。
【図１６】図１５に示す受け金具を図１０に示す吊り足場用パネルの連結受け部に固定したときの図を示す。
【図１７】本発明に係る吊り足場用パネルの預け金具の一例である。
【図１８】図１７に示す預け金具を図１０に示す吊り足場用パネルの連結受け部に固定したときの図を示す。
【図１９】本発明に係る吊り足場用パネルの預け金具の他の例である。
【図２０】図１９に示す預け金具を図１０に示す吊り足場用パネルの連結受け部に固定したときの図を示す。
【図２１】本発明に係る吊り足場用パネルの預け金具の他の例である。
【図２２】図２１に示す預け金具を図１０に示す吊り足場用パネルの連結受け部に固定したときの図を示す。
【図２３】本発明に係る吊り足場用パネルの預け金具の他の例である。
【図２４】図２３に示す預け金具を図１０に示す吊り足場用パネルの連結受け部に固定したときの図を示す。
【図２５】本発明に係る吊り足場用パネルの受け金具の他の例である。
【図２６】図２５に示す受け金具を図１０に示す吊り足場用パネルの連結受け部に固定したときの図を示す。
【図２７】本発明に係る吊り足場用パネルの預け金具の他の例である。
【図２８】図２７に示す預け金具を図１０に示す吊り足場用パネルの連結受け部に固定したときの図を示す。
【図２９】本発明に係る吊り足場用パネルの連結態様の一例である。
【図３０】預け金具の仮置後の微調整の一例である。
【図３１】本発明に係る吊り足場用パネルの連結態様の他の例である。
【図３２】預け金具の仮置後の微調整の他の例である。
【図３３】本発明に係る吊り足場用パネルの連結態様の他の例である。
【図３４】預け金具の仮置時とセット後の状況を示している。
【図３５】仮連結後のパネル長辺部の間の段差をなくす手順を示す一例である。
【図３６】吊り足場用パネルを平面上でカーブして設置するときの状況を示す図である。
【図３７】本発明に係る吊り足場用パネルに用いる端部隙間塞ぎ材の一例（平面図）である。
【図３８】本発明に係る吊り足場用パネルに用いる端部隙間塞ぎ材の他の例（平面図）である。
【発明を実施するための形態】
【００７４】
以下、図面を用いて本発明に係る吊り足場用パネルを説明する。
【実施例】
【００７５】
図１０は、本発明に係る吊り足場用パネルの一例である。(a)は平面図、(b)はＩ部の詳細図、そして、(c)はＩ部の裏面図を示す。
【００７６】
この吊り足場用パネルは、２つの長辺用部材３５と２つの短辺用部材３６からなる長方形を有している。そして、２つの長辺用部材３５の間にはこれらをつなぐ角管形状の連結受け部１２が短辺用部材３６と平行に２本設けられ、いずれの連結受け部１２も長辺用部材３５の両側面に開口部を有している。そして、連結受け部１２の一方の開口部内には長辺用部材３５に対して直角に突出する形で預け金具２５が設けられ、そして、連結受け部１２の他方の開口部内には長辺用部材３５に対して直角に突出する形で受け金具２６が設けられている。ここで、預け金具２５と受け金具２６はそれぞれ固定ボルト４０によって連結受け部１２の上面及び下面に固定されている。また、長辺用部材３５の上面には２つのパネルを連結するための連結用ボルト（図示せず）を差し込むための連結用孔５０が穿たれている。なお、パネルの上面には床材８が張られていて、作業員がその上で作業をすることができる。
【００７７】
図１１は、本発明に係る吊り足場用パネルの受け金具の一例である。(a)は正面図、(b)は左側面図、(c)は右側面図、(d)はＭ−Ｍ矢視図、そして、(e)はＮ−Ｎ矢視図を示す。
【００７８】
図１２は、図１１に示す受け金具２６を図１０に示す吊り足場用パネルの連結受け部に固定したときの図を示す。(a)は図１０(b)のＪ部の詳細図、(b)は図１０(b)のＪ部の裏面図、そして、(c)は図１２(a)のＬ−Ｌ矢視図を示す。
【００７９】
この受け金具２６は、底面のウェブとその両側のフランジからなり、その断面は上向きに開放された略コの字形を有する。そして、この受け金具２６は連結受け部１２から受け金具２６が直角に突出する形で連結受け部１２内に固定されている。連結受け部１２の下面およびこの受け金具２６の底面のウェブには、受け金具２６を固定するための固定用ボルト４０を通すための固定用孔４１が穿たれている。また、連結受け部１２の位置する吊り足場用パネルの長辺用部材３５の上面には、対峙する預け金具をこの連結受け部１２内に収容した後、連結用ボルト（図示せず）を差し込むための連結用孔５０が形成されている。なお、ここでは、受け金具の右側フランジの一部に切り欠き部４５が形成されている。その理由については、後述する。
【００８０】
図１３は、本発明に係る吊り足場用パネルの受け金具の他の例である。(a)は正面図、(b)は左側面図、(c)は右側面図、(d)はＭ−Ｍ矢視図、そして、(e)はＮ−Ｎ矢視図を示す。
【００８１】
図１４は、図１３に示す受け金具を図１０に示す吊り足場用パネルの連結受け部に固定したときの図を示す。(a)は図１０(b)のＪ部の詳細図、(b)は図１０(b)のＪ部の裏面図、そして、(c)は図１４(a)のＬ−Ｌ矢視図を示す。
【００８２】
この受け金具２６は、底面のウェブとその両側のフランジからなり、その断面は上向きに開放された略コの字形を有する。そして、この受け金具２６は連結受け部１２から受け金具２６が直角に突出する形で連結受け部１２内に固定されている。連結受け部１２の下面には、受け金具２６を固定するための固定用ボルト４０を通すための固定用孔４１が穿たれている。また、連結受け部１２の位置する吊り足場用パネルの長辺用部材３５の上面には、対峙する預け金具をこの連結受け部１２内に収容した後、連結用ボルト（図示せず）を差し込むための連結用孔５０が形成されている。ただし、この受け金具２６の底面ウェブに穿たれる固定用ボルト４０を通すための固定用孔４１はウェブの中心位置から水平方向に偏心して形成されている。
【００８３】
図１５は、本発明に係る吊り足場用パネルの受け金具の他の例である。(a)は正面図、(b)は左側面図、(c)は右側面図、(d)はＭ−Ｍ矢視図、そして、(e)はＮ−Ｎ矢視図を示す。
【００８４】
図１６は、図１５に示す受け金具を図１０に示す吊り足場用パネルの連結受け部に固定したときの図を示す。(a)は図１０(b)のＪ部の詳細図、(b)は図１０(b)のＪ部の裏面図、そして、(c)は図１６(a)のＬ−Ｌ矢視図を示す。
【００８５】
この受け金具２６は、上向きに開放された断面半円形を有する。したがって、底面のウェブとその両側のフランジはともに一様な曲面をなしている。そして、この受け金具２６は連結受け部１２から受け金具２６が直角に突出する形で連結受け部１２内に固定されている。連結受け部１２の下面には、受け金具２６を固定するための固定用ボルト４０を通すための固定用孔４１が穿たれている。また、連結受け部１２の位置する吊り足場用パネルの長辺用部材３５の上面には、対峙する預け金具をこの連結受け部１２内に収容した後、連結用ボルト（図示せず）を差し込むための連結用孔５０が形成されている。
【００８６】
図１７は、本発明に係る吊り足場用パネルの預け金具の一例である。(a)は正面図、(b)は左側面図、(c)は右側面図、(d)はＰ−Ｐ矢視図、そして、(e)はＱ−Ｑ矢視図を示す。
【００８７】
図１８は、図１７に示す預け金具を図１０に示す吊り足場用パネルの連結受け部に固定したときの図を示す。(a)は図１０(b)のＫ部の詳細図、(b)は図１０(b)のＫ部の裏面図、そして、(c)は図１８(a)のＯ−Ｏ矢視図を示す。
【００８８】
この預け金具２５は、上面のウェブとその両側のフランジからなり、その断面は下向きに開放された略コの字形を有する。そして、この預け金具２５は連結受け部１２から直角に突出する形で連結受け部１２内に固定されている。連結受け部１２の上面には、預け金具２５を固定するための固定用ボルト４０を通すための固定用孔４１が穿たれているが、その形状を長円形とするのは、吊り足場用パネルの設置を平面上でカーブさせることができるようにするためである。また、預け金具２５を対峙する連結受け部内に収容した後、連結受け部の位置する吊り足場用パネルの長辺用部材３５に穿たれた連結用孔（図示せず）に差し込まれる連結用ボルト（図示せず）をねじ込むことができる連結用ナット５２が預け金具２５の上面の下に接して取り付けられている。そして、預け金具２５の右側の一部に切り欠き部４５が形成されている。その理由については、後述する。
【００８９】
図１９は、本発明に係る吊り足場用パネルの預け金具の他の例である。(a)は正面図、(b)は左側面図、(c)は右側面図、(d)はＰ−Ｐ矢視図、そして、(e)はＱ−Ｑ矢視図を示す。
【００９０】
図２０は、図１９に示す預け金具を図１０に示す吊り足場用パネルの連結受け部に固定したときの図を示す。(a)は図１０(b)のＫ部の詳細図、(b)は図１０(b)のＫ部の裏面図、そして、(c)は図２０(a)のＯ−Ｏ矢視図を示す。
【００９１】
この預け金具２５は、上面のウェブとその両側のフランジからなり、その断面は下向きに開放された略コの字形を有する。そして、この預け金具２５は連結受け部１２から直角に突出する形で連結受け部１２内に固定されている。連結受け部１２の上面には、預け金具２５を固定するための固定用ボルト４０を通すための固定用孔４１が穿たれているが、その形状を長円形とするのは、吊り足場用パネルの設置を平面上でカーブさせることができるようにするためである。そして、預け金具２５を固定するための固定用ナット４２が連結受け部１２の上面の下に接して取り付けられている。また、預け金具２５を対峙する連結受け部内に収容した後、連結受け部の位置する吊り足場用パネルの長辺用部材３５に穿たれた連結用孔（図示せず）に差し込まれる連結用ボルト（図示せず）をねじ込むことができる連結用ナット５２が預け金具２５の上面の下に接して取り付けられている。ここでは、この預け金具２５の上面ウェブに穿たれる固定用ボルト４０を通すための固定用孔４１はウェブの中心位置から偏心して形成されている。
【００９２】
図２１は、本発明に係る吊り足場用パネルの預け金具２５の他の例である。(a)は正面図、(b)は左側面図、(c)は右側面図、(d)はＰ−Ｐ矢視図、そして、(e)はＱ−Ｑ矢視図を示す。
【００９３】
図２２は、図２１に示す預け金具を図１０に示す吊り足場用パネルの連結受け部に固定したときの図を示す。(a)は図１０(b)のＫ部の詳細図、(b)は図１０(b)のＫ部の裏面図、そして、(c)は図２２(a)のＯ−Ｏ矢視図を示す。
【００９４】
この預け金具２５は、上面が曲面のウェブとその両側のフランジからなり、その断面は下向きに開放された略Ｕ字形を有する。そして、この預け金具２５は連結受け部１２から直角に突出する形で連結受け部１２内に固定されている。連結受け部１２の上面には、預け金具２５を固定するための固定用ボルト４０を通すための固定用孔４１が穿たれているが、その形状を長円形とするのは、吊り足場用パネルの設置を平面上でカーブさせることができるようにするためである。また、預け金具２５を対峙する連結受け部内に収容した後、連結受け部の位置する吊り足場用パネルの長辺用部材３５に穿たれた連結用孔（図示せず）に差し込まれる連結用ボルト（図示せず）をねじ込むことができる連結用ナット５２が預け金具２５の上面の下に接して取り付けられている。
【００９５】
図２３は、本発明に係る吊り足場用パネルの預け金具の他の例である。(a)は正面図、(b)は左側面図、(c)は右側面図、(d)はＰ−Ｐ矢視図、そして、(e)はＱ−Ｑ矢視図を示す。
【００９６】
図２４は、図２３に示す預け金具を図１０に示す吊り足場用パネルの連結受け部に固定したときの図を示す。(a)は図１０(b)のＫ部の詳細図、(b)は図１０(b)のＫ部の裏面図、そして、(c)は図２４(a)のＯ−Ｏ矢視図を示す。
【００９７】
この預け金具２５は、断面円形を有する。したがって、上面の曲面のウェブとその両側の曲面のフランジだけでなく、底面も曲面をなしている。そして、この預け金具２５は連結受け部１２から直角に突出する形で連結受け部１２内に固定されている。連結受け部１２の上面には、預け金具２５を固定するための固定用ボルト４０を通すための固定用孔４１が穿たれているが、その形状を長円形とするのは、吊り足場用パネルの設置を平面上でカーブさせることができるようにするためである。また、預け金具２５を対峙する連結受け部１２内に収容した後、連結受け部１２の位置する吊り足場用パネルの長辺用部材３５に穿たれた連結用孔（図示せず）に差し込まれる連結用ボルト（図示せず）をねじ込むことができる連結用ナット５２が預け金具２５の上面の下に接して取り付けられている。
【００９８】
図２５は、本発明に係る吊り足場用パネルの受け金具の他の例である。(a)は正面図、(b)は左側面図、(c)は右側面図、(d)はＭ−Ｍ矢視図、そして、(e)はＮ−Ｎ矢視図を示す。
【００９９】
図２６は、図２５に示す受け金具２６を図１０に示す吊り足場用パネルの連結受け部に固定したときの図を示す。(a)は図１０(b)のＪ部の詳細図、(b)は図１０(b)のＪ部の裏面図、そして、(c)は図１２(a)のＬ−Ｌ矢視図を示す。
【０１００】
この受け金具２６は山形鋼からなり、その断面は上向きに開放されたＶ形状を有する。ここでは、底面ウェブとその両側面からなる、上向きに開放された断面コの字形状の鋼材２７で断面Ｖ形状の山形鋼を下から支えており、閉塞断面形状を形成している。したがって、剛性が高く、受け金具が地面等にぶつかることがあっても曲がりにくい。なお、断面Ｖ形状の山形鋼と断面コの字形状の鋼材２７は隅肉溶接によって接合されている。そして、この受け金具２６は連結受け部１２から受け金具２６が直角に突出する形で連結受け部１２内に固定されている。連結受け部１２の下面およびこの受け金具２６を支える断面コの字形状の鋼材２７の底面のウェブには、この底面のウェブを固定するための固定用ボルト４０を通すための固定用孔４１が穿たれている。また、連結受け部１２の位置する吊り足場用パネルの長辺用部材３５の上面には、対峙する預け金具をこの連結受け部１２内に収容した後、連結用ボルト（図示せず）を差し込むための連結用孔５０が形成されている。なお、ここでは、断面コの字形状の鋼材２７を用いることで、閉塞断面形状を有する受け金具としているが、格別に高い剛性を必要としない場合には山形鋼のみで受け金具を形成してもよい。
【０１０１】
図２７は、本発明に係る吊り足場用パネルの預け金具の他の例であり、図２５で示した受け金具と組み合わせて用いることができる。(a)は正面図、(b)は左側面図、(c)は右側面図、(d)はＰ−Ｐ矢視図、そして、(e)はＱ−Ｑ矢視図を示す。
【０１０２】
図２８は、図２７に示す預け金具を図１０に示す吊り足場用パネルの連結受け部に固定したときの図を示す。(a)は図１０(b)のＫ部の詳細図、(b)は図１０(b)のＫ部の裏面図、そして、(c)は図１８(a)のＯ−Ｏ矢視図を示す。
【０１０３】
この預け金具２５は山形鋼からなり、その断面は上向きに開放されたＶ形状を有する。ここでは、断面Ｖ形状の山形鋼の上に平板２８を隅肉溶接して蓋をすることによって、閉塞断面形状を形成している。したがって、剛性が高く、預け金具が地面等にぶつかることがあっても曲がりにくい。そして、この預け金具２５は連結受け部１２から直角に突出する形で連結受け部１２内に固定されている。連結受け部１２の上面には、預け金具２５を固定するための固定用ボルト４０を通すための固定用孔４１が穿たれているが、その形状を長円形とするのは、吊り足場用パネルの設置を平面上でカーブさせることができるようにするためである。また、預け金具２５を対峙する連結受け部内に収容した後、連結受け部の位置する吊り足場用パネルの長辺用部材３５に穿たれた連結用孔（図示せず）に差し込まれる連結用ボルト（図示せず）をねじ込むことができる連結用ナット５２が預け金具２５の上面の下に接して取り付けられている。なお、ここでは、平板２８を用いることで、閉塞断面形状を有する預け金具としているが、格別に高い剛性を必要としない場合には山形鋼のみで預け金具を形成してもよい。
【０１０４】
図２９は、本発明に係る吊り足場用パネルの連結態様の一例であり、図１２の受け金具の上に図１８の預け金具を載置した後、両パネルを連結するものである。(a)は連結直前の預け金具と受け金具の平面図、(b)はその正面図、(c)は預け金具を受け金具の上に仮置きしたときの正面図、そして、(d)は預け金具をスライドさせてパネル同士を仮連結したときの正面図である。
【０１０５】
図３０は、預け金具の仮置後の微調整の一例であり、図２９(c)における預け金具と受け金具のＲ−Ｒ矢視図である。(a)は仮置き直後を示し、そして、(b)は微調整後を示す。
【０１０６】
対峙するパネルの連結受け部１２から直角に突出する形で連結受け部１２内に固定されている預け金具２５を、設置済みのパネルの連結受け部１２内に直角に突出する形で固定されている受け金具２６と位置合わせをした後、その預け金具２５を受け金具２６の上に仮置きする。そして、預け金具２５の載置位置を断面方向に微調整して、預け金具２５の中心線を受け金具２６の中心線に位置合わせした後、対峙する預け金具２５を設置済みの連結受け部１２内に収容する。その後、設置済みの連結受け部１２の位置する吊り足場用パネルの長辺用部材３５の上面の連結用孔５０から連結用ボルト（図示せず）を差し込んで、預け金具２５の上面の下に接して取り付けられている連結用ナット５２にねじ込むことで、パネル同士を仮連結することができる。ここでは、仮連結の状態であるので、両パネルの高さには違いが少々あり、その結果、２つのパネルの長辺用部材３５の上面の間には段差がある程度生じている。なお、預け金具２５および受け金具２６の同じ側（右側）のフランジの一部に切り欠き部４５を設けられているので、預け金具２５を受け金具２６の上に仮置きしたのち、預け金具２５の載置位置を断面方向に微調整することができるから、預け金具２５を設置済みの連結受け部１２内に容易に収容することができる。
【０１０７】
図３１は、本発明に係る吊り足場用パネルの連結態様の他の例であり、図１４の受け金具の上に図２０の預け金具を載置した後、両パネルを連結するものである。(a)は連結直前の預け金具と受け金具の平面図、(b)はその正面図、(c)は預け金具を受け金具の上に仮置きしたときの正面図、そして、(d)は預け金具をスライドさせてパネル同士を仮連結したときの正面図である。
【０１０８】
図３２は、預け金具の仮置後の微調整の他の例であり、図３１(c)における預け金具と受け金具のＲ−Ｒ矢視図である。(a)は仮置き直後を示し、そして、(b)は微調整後を示している。
【０１０９】
対峙するパネルの連結受け部１２から直角に突出する形で連結受け部１２内に固定されている預け金具２５を、設置済みのパネルの連結受け部１２内に直角に突出する形で固定されている受け金具２６と位置合わせをした後、対峙する預け金具２５を受け金具２６の上に仮置きする。そして、預け金具２５の載置位置を断面方向に微調整して、預け金具２５が受け金具２６上から外れないようにしてから、預け金具２５を設置済みの連結受け部１２内に収容する。その後、設置済みの連結受け部１２の位置する吊り足場用パネルの長辺用部材３５の上面の連結用孔５０から連結用ボルト（図示せず）を差し込んで、預け金具２５の上面の下に接して取り付けられている連結用ナット５２にねじ込むことで、パネル同士を仮連結することができる。ここでは、仮連結の状態であるので、両パネルの高さには違いが少々あり、その結果、２つのパネルの長辺用部材３５の上面の間には段差がある程度生じている。
【０１１０】
図３３は、本発明に係る吊り足場用パネルの連結態様の他の例であり、図１６の受け金具の上に図２４の預け金具を載置した後、両パネルを連結するものである。(a)は連結直前の預け金具と受け金具の平面図、(b)はその正面図、(c)は預け金具を受け金具の上に仮置きしたときの正面図、そして、(d)は預け金具をスライドさせてパネル同士を仮連結したときの正面図である。
【０１１１】
図３４は、預け金具の仮置時とセット後の状況を示しており、図３３(c)における預け金具と受け金具のＲ−Ｒ矢視図である。(a)は仮置き時を示し、そして、(b)はセット後の状況を示している。
【０１１２】
対峙するパネルの連結受け部１２から直角に突出する形で連結受け部１２内に固定されている預け金具２５を、設置済みのパネルの連結受け部１２内に直角に突出する形で固定されている受け金具２６と位置合わせをした後、その預け金具２５を受け金具２６の上に仮置きする。この預け金具２５は断面円形を有し、そして、この受け金具２６は上向きに開放された断面半円形を有しているので、受け金具２６の上に仮置きされた預け金具２５は自ずと受け金具２６の上に収まる。その後、預け金具２５を設置済みの連結受け部１２内に収容する。そして、設置済みの連結受け部１２の位置する吊り足場用パネルの長辺用部材３５の上面の連結用孔５０から連結用ボルト（図示せず）を差し込んで、預け金具２５の上面の下に接して取り付けられている連結用ナット５２にねじ込むことで、パネル同士を仮連結することができる。ここでは、仮連結の状態であるので、両パネルの高さには違いが少々あり、その結果、２つのパネルの長辺用部材３５の上面の間には段差がある程度生じている。
【０１１３】
図２９〜図３４にみるとおり、受け金具２６に預け金具２５を載置した後、預け金具２５をスライドさせることで両パネルを連結することができる。ただし、仮連結の状態であるので、両パネルの高さには違いが少々あり、その結果、２つのパネルの長辺用部材３５の上面の間には段差がある程度生じている。この段差は、対峙する受け金具２５を設置済みの連結受け部１２内に収容する際に形成される、受け金具２５の上面と連結受け部１２の上面との間の隙間(ガタ)に起因する。このままでもパネル同士の連結自体は完了しており、強度的には問題はない。ただし、パネル連結部付近でパネル長辺用部材の間に若干の段差があるから、その分は歩きづらいことになる。
【０１１４】
この段差をなくすためには、対峙する預け金具を設置済みの連結受け部の上面に連結用ボルトにより連結するときに、連結用ボルトをさらに締め付ければよい。すなわち、連結用ボルトをもっと締め付けると連結用ボルトの先端が受け金具の底面に接地し、さらに締め付けると預け金具の上面が連結受け部に接地するので段差は解消する。
【０１１５】
図３５は、仮連結後のパネル長辺用部材の間の段差をなくす手順を示す一例である。(a)は預け金具２５を連結受け部１２内に収容した状態を、(b)は連結用ボルト５１でパネル同士を仮連結した状態を、(c)は連結用ボルト５１をもっと締め付けてボルトの先端が受け金具２６の底面に接地したときの状態を、そして、(d)は連結用ボルト５１をさらに締め付けて預け金具２５の上面が連結受け部１２の上面に接地したときの状態を示す。
【０１１６】
対峙する預け金具２５を設置済みの連結受け部１２内に収容したのち、設置済みの連結受け部１２の位置する吊り足場用パネルの長辺用部材の上面の連結用孔５０から連結用ボルト５１を差し込んで、預け金具２５の上面の下に接して取り付けられている連結用ナット５２にねじ込むことで、パネル同士を仮連結することができる。これは仮連結の状態であるので、パネル長辺用部材の間には段差が生じているが、パネル間の連結自体は完了している。
【０１１７】
ところが、連結用ボルト５１をもっと締め付けていくと、連結用ボルト５１の先端は設置済みの連結受け部１２内に設けられた受け金具２６の底面に達して接地するため、預け金具２５の上面と連結受け部１２の上面の間の隙間は減少し始める。よって、長辺用部材の間の段差も減少し始める。
【０１１８】
そして、連結用ボルト５１をさらに締め付けていくと、設置済みの連結受け部１２の上面は連結用ナット５２を介して預け金具２５の上面に近接してゆき、最終的に預け金具２５の上面が連結受け部１２の上面に接地するから、長辺用部材の間の段差は解消される。ここで、両パネルの連結は完了する。
【０１１９】
なお、ここでは、ボルトの頭側のみにねじ山を設けた連結用ボルト５１を用いているが、これはねじり込む回数（手間）を減らすためである。手間を厭わなければ、全ねじ山のものを用いてもよい。
【０１２０】
最後に、連結受け部の上面には、預け金具を固定するための固定用ボルトを通すための固定用孔が穿たれているが、その形状を長円形とすることで吊り足場用パネルの設置を平面上でカーブさせることができるようになることについて、詳述する。
【０１２１】
吊り足場用パネルの設置場所は、平面的に直線だけとは限らず、道路等がカーブしていると、吊り足場用パネルの設置を平面上でカーブさせることを必要とする場合が生じる。
【０１２２】
図３６は複数個の吊り足場用パネル６を平面上でカーブして設置するときの状況を示す図である。(a)がその概略図、(b)が２枚の吊り足場用パネルに着目したときの平面図、(c)が(b)のＳ−Ｓ矢視図、そして、(d)が(b)のＴ−Ｔ矢視図である。
【０１２３】
図３６(b)において、下側のパネル６の連結受け部内から突出して設けられた預け金具の上面は、上側のパネル６の連結受け部の上面に固定用ボルト５１によって固定される。このとき、連結受け部の上面の固定用孔４１を長円形に形成しておくと、２つのパネルの間に三角形の隙間６０を形成することができる。すなわち、Ｓ−Ｓ矢視図における固定用ボルト５１の固定位置は通常の上位置のままにしておく一方、Ｔ−Ｔ矢視図における固定用ボルト５１の固定位置を下位置に変更すると、２つのパネル６の間に三角形の隙間６０が形成される。この三角形の隙間６０の積み重ねにより、吊り足場用パネルのカーブ対応が可能となる。
【０１２４】
図３７は、本発明に係る吊り足場用パネルに用いる端部隙間塞ぎ材の一例（平面図）である。
【０１２５】
このパネルは、長辺用部材３５と、丸パイプからなる短辺用部材３６とからなる長方形の枠組の上に床材８を張ったものである。このパネルの上には短辺用部材３６の内側に隙間９を残して床材８が張られていて、作業員がその上で作業をすることができる。この隙間９は、パネルの連結時にパネルの端部の短辺用部材間をクランプ（図示せず）で緊結する作業をするために設置されている。また、パネルを橋梁部から吊り下げるためにチェーン（図示せず）をパネルの端部の短辺用部材３６に通す場合に必要な隙間でもある。
【０１２６】
そして、この隙間全体をカバーする端部隙間塞ぎ材２３が、パネル床面と面一に設けられている。また、この端部隙間塞ぎ材２３はパネルの床材８の端部の蝶番２３ｂを介して、上方向に回動自在に設けられている。このため、作業員はパネルを連結する際には、端部隙間塞ぎ材２３の端部にひざをついて連結すべきパネルの短辺用部材を引き寄せることができるので、前屈みの無理な体勢を取ることはなくなり、その分安全に連結作業をすることができる。パネルを解体するときも同様である。また、パネルの短辺用部材同士を緊結するためのクランプ（図示せず）も端部隙間塞ぎ材２３の下方に収容されているので、パネル連結後のパネルの床面と端部隙間塞ぎ材２３のレベル差はなく、端部隙間塞ぎ材の所で段差は生じない。したがって、作業員は設置後の足場上で安全かつ容易に作業・移動することができる。
【０１２７】
図３８は、本発明に係る吊り足場用パネルに用いる端部隙間塞ぎ材の他の例（平面図）である。
【０１２８】
このパネルは、長辺用部材３５と、丸パイプからなる短辺用部材３６とからなる長方形の枠組の上に床材８を張ったものである。このパネルの上には短辺用部材３６の内側に隙間９を残して床材８が張られていて、作業員がその上で作業をすることができる。この隙間９は、パネルの連結時にパネルの端部の短辺用部材間をクランプ（図示せず）で緊結する作業をするために設置されている。また、パネルを橋梁部から吊り下げるためにチェーン（図示せず）をパネルの端部の短辺用部材３６に通す場合に必要な隙間でもある。
【０１２９】
そして、この隙間全体をカバーする端部隙間塞ぎ材２３が、パネル床面と面一に設けられている。また、この端部隙間塞ぎ材２３はパネルの床材８の端部の蝶番２３ｂを介して、上方向に回動自在に設けられている。このため、作業員はパネルを連結する際には、端部隙間塞ぎ材２３の端部にひざをついて連結すべきパネルの短辺用部材を引き寄せることができるので、前屈みの無理な体勢を取ることはなくなり、その分安全に連結作業をすることができる。パネルを解体するときも同様である。また、パネルの短辺用部材同士を緊結するためのクランプ（図示せず）も端部隙間塞ぎ材２３の下方に収容されているので、パネル連結後のパネルの床面と端部隙間塞ぎ材２３のレベル差はなく、端部隙間塞ぎ材の所で段差は生じない。したがって、作業員は設置後の足場上で安全かつ容易に作業・移動することができる。
【０１３０】
さらに、この端部隙間塞ぎ材２３には、開口部２３ｃが３個所設けられている。これらは、橋梁部から吊り下げられたチェーン（図示せず）をパネルの端部の短辺用部材３６に通す場合に用いるものであって、端部隙間塞ぎ材のチェーン吊り位置に対応する場所に設けられる。この開口部２３ｃがあるので、パネル連結後も橋梁部から吊り下げられたチェーンでパネルを吊ることができる。
【産業上の利用可能性】
【０１３１】
本発明に係る吊り足場用パネルは、作業員のせり出し長さも短くでき、かつ、容易に対峙するパネルとの位置合わせができる。したがって、安全かつ容易に吊り足場用パネルを連結・撤去することが可能となる。
【符号の説明】
【０１３２】
１  吊り足場
２  床版部
３  橋梁部
３ａ  橋梁部のフランジ
４  チェーンクランプ
５  チェーン
６  パネル
６ａ  パネル長辺
６ｂ  パネル短辺
７  チェーン位置
８  床材
９  隙間
１１  連結具
１２  連結受け部
１３  貫通孔
１４  係止孔
１５  貫通ピン
１６  調整ボルト
２１  作業員
２１ａ  作業員のひざ
２３  端部隙間塞ぎ材
２３ｂ  端部隙間塞ぎ材の蝶番
２３ｃ  端部隙間塞ぎ材の開口部
２５  預け金具
２６  受け金具
２７  コの字形状の鋼材
２８  平板
３０  ガイド材
３５  長辺用部材
３６  短辺用部材
４０  固定用ボルト
４１  固定用孔
４２  固定用ナット
４５  切り欠き部
５０  連結用孔
５１  連結用ボルト
５２  連結用ナット
６０  三角形の隙間
【図１】
2015028284.tif 000003
【図２】
2015028284.tif 000004
【図３】
2015028284.tif 000005
【図４】
2015028284.tif 000006
【図５】
2015028284.tif 000007
【図６】
2015028284.tif 000008
【図７】
2015028284.tif 000009
【図８】
2015028284.tif 000010
【図９】
2015028284.tif 000011
【図１０】
2015028284.tif 000012
【図１１】
2015028284.tif 000013
【図１２】
2015028284.tif 000014
【図１３】
2015028284.tif 000015
【図１４】
2015028284.tif 000016
【図１５】
2015028284.tif 000017
【図１６】
2015028284.tif 000018
【図１７】
2015028284.tif 000019
【図１８】
2015028284.tif 000020
【図１９】
2015028284.tif 000021
【図２０】
2015028284.tif 000022
【図２１】
2015028284.tif 000023
【図２２】
2015028284.tif 000024
【図２３】
2015028284.tif 000025
【図２４】
2015028284.tif 000026
【図２５】
2015028284.tif 000027
【図２６】
2015028284.tif 000028
【図２７】
2015028284.tif 000029
【図２８】
2015028284.tif 000030
【図２９】
2015028284.tif 000031
【図３０】
2015028284.tif 000032
【図３１】
2015028284.tif 000033
【図３２】
2015028284.tif 000034
【図３３】
2015028284.tif 000035
【図３４】
2015028284.tif 000036
【図３５】
2015028284.tif 000037
【図３６】
2015028284.tif 000038
【図３７】
2015028284.tif 000039
【図３８】
2015028284.tif 000040